(57)【要約】受信者にデビットするデビッティングサービスを用いたショートメッセージの送信方法であって、ｉ）前記デビッティングサービスに関連したプレフィックスの付加により受信者の番号にアドレス指定された送信番号からショートメッセージを受信するステップ；ｉｉ）送信番号がショートメッセージの費用を受信者にデビットする許可を受けていることを調査するステップ；ｉｉｉ）受信者のクレジットが前記費用より大きいか否かを調査するステップ；ｉｖ）両調査ｉｉ及びｉｉｉの結果が肯定ならば、ショートメッセージを受信者に送信するステップを含む。
2006507739.tif 000002
【特許請求の範囲】
【請求項１】
受信者にデビットするデビッティングサービスを使用したショートメッセージの送信方法であって、
ｉ-  前記デビッティングサービスに関連したプレフィックスの付加により、受信者の番号にアドレス指定された送信番号からショートメッセージを受信するステップ；
ｉｉ-  送信番号がショートメッセージの費用を受信者にデビットする許可を受けていることを調査するステップ；
ｉｉｉ-  受信者のクレジットが前記費用より多いか否かを調査するステップ；
ｉｖ-  両調査ｉｉ及びｉｉｉの結果が肯定であるならば、ショートメッセージを受信者に送信するステップ、
を含むことを特徴とする方法。
【請求項２】
ｖ-  調査ｉｉ及びｉｉｉの少なくとも1つの結果が否定であるならば、前記ショートメッセージの発信者に儀礼メッセージを送信し、デビッティングサービスが実行できないことを発信者に知らせるステップ
をさらに含むことを特徴とする請求項１に記載の方法。
【請求項３】
前記ステップｉｉが、デビットされることを認められたショートメッセージの最大数がゼロより大きいか否かを調査するステップを含むことを特徴とする請求項１又は２に記載の方法。
【請求項４】
ステップｉｖが、前記最大数を１だけデクリメントするステップをさらに含むことを特徴とする請求項３に記載の方法。
【請求項５】
ステップｉｉが、前記ショートメッセージの送信時間が所定の時間間隔内にあるか否かを調査するステップを含むことを特徴とする請求項１又は２に記載の方法。
【請求項６】
ステップｉｖが、前記クレジットを前記費用だけデクリメントするステップをさらに含むことを特徴とする請求項１〜５のいずれか一項に記載の方法。
【請求項７】
ステップｉｉが、許可された番号のリストを調査することにより実行されることを特徴とする請求項１〜６のいずれか一項に記載の方法。
【請求項８】
ｖｉ-  許可された番号の前記リストを表示又は更新することを前記受信者に認めるステップ、
をさらに含む請求項７に記載の方法。
【発明の詳細な説明】
【技術分野】
【０００１】
一般に、本発明は、携帯電話技術の分野に関し、特にショート・メッセージ・サービス（ＳＭＳ）とそれに対応する費用請求(billing)処理に関する。
【背景技術】
【０００２】
被呼者にデビット（借方記入(debit)）できる呼の電話サービス、すなわち、呼リクエストの後、被呼者がデビッティング（借方記入(debiting)）に同意すれば、接続が設定されて呼を生じさせ得る電話サービスは公知である。
【０００３】
しかしながら、現在のところ、ショートメッセージの発信者への費用請求のみ行われている。明らかに、メッセージの受信者に費用請求する問題は、音声呼の問題とは基本的に異なり、特に、情報内容の異なる性質とその対応する伝送プロトコルゆえに、被呼者にデビットする音声呼を管理する既存の手順に全く関係のないその場限りの解決策が要求されている。
【発明の開示】
【発明が解決しようとする課題】
【０００４】
本発明の目的は、費用が受信者にデビットされることを伴うショートメッセージの送信を可能にすることであり、この受信者へのデビッティングは、受信者が送信番号に対してその操作を事前に許可した場合にのみ可能とされる。
【０００５】
本発明の別の目的は、受信者にデビットすることを伴うショートメッセージの送信方法を提供することであり、該受信者は、受信者の番号及び受信者へのこの種の費用請求のためのデータの両方がメッセージと共に送信されることを可能にする。
【０００６】
最後に、本発明の別の目的は、受信者にデビットすることを伴うショートメッセージの送信方法を提供することであり、該方法は、当該サービスを安価で且つすぐに使用できるようにするために、ＳＭＳ管理システムの一般的なネットワークアーキテクチャーに基づき、かつ携帯電話技術の分野において標準的な通信プロトコルを使用する。
【課題を解決するための手段】
【０００７】
本明細書で明らかにされるこれらの目的及びその他の目的が、以下のステップを含んだ方法によって達せられる。
１．ショートメッセージの費用をメッセージの受信者にデビットすることを望むユーザーが、その番号に例えば当該サービスを管理するプラットフォームに関連した短い番号からなるプレフィックスを加える。例えば、受信者の番号が３３５１２３４５６７であり該短い番号が４８８８ならば、ユーザーは４８８８３３５１２３４５６７をダイアルできる。
２．そのメッセージを受信すると、ＳＭＳセンターＳＭＳ−Ｃは、サービスを管理するプラットフォームに同じものを送り、受信者番号（プレフィックス＋番号）に関係したデータを変えずに保つ。
３．サービスを管理するプラットフォームは、メッセージの受信者が送信番号に対してショートメッセージの費用を受信者にデビットすることを許可したことを調査する。
４．プラットフォームはまた、適当なインターフェースを介して費用請求システムにより、受信者が当該操作を行うのに十分なクレジット（預金残高(credit)）を有していることを調査する。
５．両方の調査結果が肯定であれば、プラットフォームはメッセージを受信者に送信する。
６．許可の調査が否定であれば、儀礼メッセージが発信者に送信され、受信者にデビットする送信はできないことを発信者に知らせ得る。また受信者には、受信者にデビットしようとする発信者の試み、及び該システムを作動させる手順を知らせることもできる。
【発明を実施するための最良の形態】
【０００８】
以下では、本発明の一般性とその可能な応用分野を制限することなくどのようにしてサービスを実行できるかの例を与えるために、本発明の特定の実施態様について特に図１を参照して説明する。
【０００９】
この図は、以下のメッセージフローを示す。
（１）適当なプレフィックスを受信者の番号に加えることにより、ユーザーＡが、受信者にデビットすることを伴ってＳＭＳを送信する。
（２）、（３）ＳＭＳ−Ｃは、メッセージを受信し、そのプレフィックスからＳＭＳメッセージは受信者にデビットすべきであることを認識し、該メッセージを受信者に直接送信する代わりにソフトウエアプラットフォームＳＷ−Ｐに送る。
（４）ＳＷ−Ｐプラットフォームは、メッセージが送信されるべきユーザーＢを認識するために受信者の番号からプレフィックスを除去し、ユーザーＢにより設定された許可を調査する。
（５）ＳＷ−Ｐプラットフォームは、ユーザーＢのクレジットを調査する。
（６）、（７）、（８）ユーザーＡがデビッティングを許可されていないか、又はユーザーＢのクレジットが不十分であるならば、ユーザーＡは儀礼メッセージを受信する。
（９）、（１０）、（１１）ユーザーＡがデビッティングを許可されており、かつユーザーＢのクレジットが十分であるならば、ＳＷ−ＰプラットフォームはショートメッセージをＳＭＳ−Ｃに送り、その結果、ユーザーＢへの送信ができる。
【００１０】
ユーザーＢには、ユーザーＢが費用請求されていることは気づかれない。標準ショートメッセージの場合には受信メッセージは発信者としてユーザーＡの番号を示すからである。
【００１１】
しかしながら、送信メッセージは、受信者に直接送られず、専用のＳＷ−Ｐプラットフォームにより処理される。ＳＭＳ−Ｃ及びＳＷ−Ｐプラットフォームからの（及びその逆の）メッセージの転送は、ＩＰ総合ソフトウエアパッケージのプロトコル、例えばＵＣＰ（ユニバーサル・コンピュータ・プロトコル）などにより実施できる。
【００１２】
システムは、番号により識別される場合には入来メッセージをアプリケーション起源として評価するので、メッセージを費用請求するための特別の構成を作ることができる。すなわち、発信者に関係したＵＣＰフレームのフィールドが、英数字の種類の発信者の番号により満たされる。ＳＭＳ-Ｃは、発信者フィールドが英数字の種類から成ることを認識し、発信者の番号の代わりに受信者の番号を発信者として示すトラヒックレコード（次に費用請求システムに送られる）を生成し、よって、適切な費用請求の方策を取ることができる。
【００１３】
英数字ＯＡｄＣフィールド（ショートメッセージの発信者）として文字列を符号化するために、以下のステップを実施し得る。
１）該文字列は、（例えばＧＳＭ０３．３８の表又はＥＭＩ規格に示されているような）７ビットＧＳＭアルファベットに符号化される。
２）「ＳＭＳポイントツーポイントパッキング」圧縮アルゴリズム（ＧＳＭ０３．３８規格に記載）が、符号化の結果に適用される。
３）次に、圧縮アルゴリズムにより作られた半オクテットの番号が、得られた文字列の先頭に置かれる。
４）最後に、得られた文字列は、ＵＣＰプロトコルがメッセージに使用する英数字表現に変換される。
【００１４】
本発明の利点及び可能な用途
Ｉ−ショートメッセージ・デビッティング・オプション
ユーザーが、該ユーザーの番号へのショートメッセージについて他のユーザーがデビットすることを許可できるモードを決めるための、３つの異なるオプションをここで説明する。
１．無制限：このオプションで設定された番号（者）は、無制限の数のメッセージについて受信者にデビットできる。
２．数値：このオプションで設定された番号（者）は、受信者により決められた最大数Ｎのメッセージにつきデビットできる。初期に設定されたこの数Ｎは、各ショートメッセージが通過するとデクリメントされ、その値がゼロに達すると、プラットフォームが儀礼メッセージを発信者に送信し、受信者へのデビッティングを伴ってショートメッセージを送信することはできないことを発信者に知らせる。
３．時間ベース：このオプションで設定された番号（者）は、受信者により規定された時間間隔内で無制限の数のメッセージについてデビットできる。設定された番号（者）が、入力された時間間隔の外側にて受信者へのデビッティングを伴ってショートメッセージを送信するならば、メッセージを再送信できないことを知らせる儀礼メッセージを受信する。
【００１５】
ＩＩ−Ｗｅｂ管理インターフェース
ユーザーの簡単なアクセスは、ワールドワイドウエブ及び対応するブラウザを用いることにより提供できる。
ウエブインターフェースにより、ユーザーがデビッティングの許可された番号のリストを管理できる。認められた操作は、例えば次の通りである。
１．許可された番号のリストの表示。
２．以下のモード：
ａ．無制限の許可
ｂ．数値の許可
ｃ．時間ベースの許可
のうちの一つのリストへの新しい番号の付加。
３．リストに既に存在する番号の有効化／無効化。
４．リストに存在する番号のエントリの変更。
５．リストから番号の除去。
【００１６】
ＩＩＩ−ショートメッセージによるサービス
携帯電話を介したアクセスもまた提供できる。例えば、ユーザーは、特別のキーワードを含んだ特別サービスＳＭを送信することによりサービスを管理するプラットフォームと相互作用ができる。最も一般的な操作として以下のものが挙げられる。
【００１７】
１．無制限モード、数値モード又は時間ベースモードにおいてデビッティングが許可された新しい番号のエントリ。
新しい番号についてデビッティングの許可を欲するユーザーは、４８８８＜有効にされる番号＞を受信者として示してショートメッセージを送信し、かつこのオプションのキーワードをメッセージに挿入することができる。許可モードを指定するために、別のキーワードを導入することもできる。例えば、キーワードに加えてテキスト中に番号が挿入されるならば、許可は数値タイプとなり、そうでなければ、無制限タイプとなる。ユーザーが有効化を望む番号が既に許可されているならば、既存のエントリに新しいリクエストが上書きされ得る。
【００１８】
２．デビッティングが許可された番号のリストからの除去。
デビッティングが許可された番号のリストからの除去を望むユーザーは、４８８８＜無効にされる番号＞を受信者として示してショートメッセージを送信し、かつこのオプションのキーワードをメッセージに挿入しなければならない。
【００１９】
３．番号のリストの表示
ユーザーは、ショートメッセージを受信者としてサービス番号（例えば４８８８３など）に、又は別の例では番号４８８８＜自身の番号>に送信し、かつこのオプションのキーワードをメッセージに挿入することにより、ユーザーが構成した番号リストの情報を受信することができる。
【００２０】
４．ヘルプのリクエスト
ユーザーは、ヘルプリクエストメッセージを送信し、ショートメッセージによるサービスを使用するための説明書を含んだ儀礼メッセージを受信可能にできる。
【００２１】
有効化、取消し、ステータスリクエスト又は一般のサービス管理に対する費用請求も行うことができる。このために、各リクエストに対しては儀礼メッセージで応答でき、その際、特定のサービスメッセージに適用される費用請求に関連した短い番号と共にＵＣＰ  ＯＡＤＣフィールド（ＳＭＳの発信者）が設定される。この種のメッセージでは、発信者フィールドは英数字フォーマットとはされず、代わりに、普通の数字フォーマットを使用できる（ＵＣＰ  ＯＴＯＡフィールドを空にしたままで）。
【００２２】
サービスショートメッセージに使用されるキーワード、儀礼メッセージ及び費用請求の短い番号は、プラットフォームのコンフィギュレーションファイルから決めることができる。
【図面の簡単な説明】
【００２３】
【図１】本発明の実施態様のメッセージフローを示す。
【符号の説明】
【００２４】
Ａ    ユーザー
Ｂ    ユーザー
ＳＭＳ-Ｃ    ショートメッセージサービス（ＳＭＳ）センター
ＳＷ-Ｐ      ソフトウエアプラットホーム
【図１】
2006507739.tif 000003
【国際調査報告】
2006507739.tif 000004
2006507739.tif 000005
2006507739.tif 000006